(57)【要約】【課題】  対物レンズへの塵埃の付着をできる限り少なくすること。【解決手段】    対物レンズＯＬ付きレンズホルダ３がアクトベース上にフォーカス方向ａ，ｂ及びトラッキング方向に移動可能に配置され、レンズホルダ３を覆って対物レンズＯＬに対向する位置にレンズ対向口１０ａを開設したアクトカバー１０が前記アクトベースに取り付けられており、レーザ光Ｌが対物レンズＯＬを通してディスクＤに投射され、その反射光に基づいてディスクＤに記録されている情報を読み取るようにしたディスク装置において、アクトカバー１０のレンズ対向口１０ａに絞り開度を全閉から全開まで調整可能なシャッタ１２が設けられ、レンズホルダ３のフォーカス方向ａ，ｂに沿う高さ位置を検出する高さ検出器１３がアクトカバー１０に設けられ、その高さ検出器１３の検出信号に基づいてシャッタ１２の絞り開度を調整する制御部が設けられている。【選択図】        図４
2008108347.tif 000002
【特許請求の範囲】
【請求項１】
対物レンズ付きレンズホルダがアクトベース上にフォーカス方向及びトラッキング方向
に移動可能に配置され、前記レンズホルダを覆って対物レンズに対向する位置にレンズ対
向口を開設したアクトカバーが前記アクトベースに取り付けられており、レーザ光が対物
レンズを通してディスクに投射され、その反射光に基づいてディスクに記録されている情
報を読み取るようにしたディスク装置において、前記アクトカバーのレンズ対向口に複数
の絞り羽根を備えたシャッタが設けられ、該各絞り羽根を拡縮径させて絞り開度を全閉か
ら全開まで調整するシャッタ駆動装置が設けられ、前記アクトカバーにフォーカス方向に
沿って配列した上段、中段、下段の３段の受光素子を有する高さ検知器が設けられ、該高
さ検知器に対向してレンズホルダにミラーが設けられており、レーザ光の対物レンズを通
る有効光束部分の外側を通る非有効光束部分を前記ミラーで反射させ、その反射光をいず
れかの受光素子で受光することによりレンズホルダの高さ位置を検出し、その検出信号に
基づいてシャッタ駆動装置を駆動することにより、シャッタの絞り開度がレンズ対向口を
通るレーザ光の有効光束部分の直径程度の中間開度まで調整され、その中間開度状態で、
レンズホルダの高さ位置が上段高さ位置のときにシャッタの絞り開度を「大」に設定し、
それが中段高さ位置のときにシャッタの絞り開度を「中」に設定し、それが下段高さ位置
のときにシャッタの絞り開度を「小」に設定するマイクロコンピュータからなる制御部が
設けられていることを特徴とする対物レンズユニット。
【請求項２】
対物レンズ付きレンズホルダがアクトベース上にフォーカス方向及びトラッキング方向
に移動可能に配置され、前記レンズホルダを覆って対物レンズに対向する位置にレンズ対
向口を開設したアクトカバーが前記アクトベースに取り付けられており、レーザ光が対物
レンズを通してディスクに投射され、その反射光に基づいてディスクに記録されている情
報を読み取るようにしたディスク装置において、前記アクトカバーのレンズ対向口に絞り
開度を全閉から全開まで調整可能なシャッタが設けられ、前記レンズホルダのフォーカス
方向に沿う高さ位置を検出する高さ検出器がアクトカバーに設けられ、その高さ検出器の
検出信号に基づいて前記シャッタの絞り開度を調整するマイクロコンピュータからなる制
御部が設けられていることを特徴とする対物レンズユニット。
【請求項３】
前記高さ検出器が、フォーカス方向に沿って配列した上段、中段、下段の３段の受光素
子を有し、該各受光素子に対向してレンズホルダにミラーが設けられており、レーザ光の
対物レンズを通る有効光束部分の外側を通る非有効光束部分を前記ミラーで反射させ、そ
の反射光をいずれかの受光素子で受光し、その受光信号に基づいてレンズホルダのフォー
カス方向に沿う高さ位置を検出することを特徴とする請求項２に記載の対物レンズユニッ
ト。
【請求項４】
前記シャッタが複数の絞り羽根を備え、該各絞り羽根を拡縮径させて絞り開度を調整す
るシャッタ駆動装置が設けられており、前記高さ検出器の検出信号に基づいて制御部によ
りシャッタ駆動装置を駆動することにより、シャッタの絞り開度がレンズ対向口を通るレ
ーザ光の有効光束部分の直径程度の中間開度まで調整され、その中間開度状態で、レンズ
ホルダの高さ位置が上段高さ位置のときにシャッタの絞り開度を「大」に設定し、それが
中段高さ位置のときにシャッタの絞り開度を「中」に設定し、それが下段高さ位置のとき
にシャッタの絞り開度を「小」に設定することを特徴とする請求項３に記載の対物レンズ
ユニット。
【請求項５】
対物レンズ付きレンズホルダがアクトベース上にフォーカス方向及びトラッキング方向
に移動可能に配置され、前記レンズホルダを覆って対物レンズに対向する位置にレンズ対
向口を開設したアクトカバーが前記アクトベースに取り付けられており、レーザ光が対物
レンズを通してディスクに投射され、その反射光に基づいてディスクに記録されている情
報を読み取るようにしたディスク装置において、前記アクトカバーのレンズ対向口に複数
の絞り羽根を備えたシャッタが設けられ、該各絞り羽根を拡縮径させて絞り開度を全閉か
ら全開まで調整するシャッタ駆動装置が設けられ、前記アクトカバーにフォーカス方向に
沿って配列した上段、中段、下段の３段の受光素子を有する高さ検知器が設けられ、該高
さ検知器に対向してレンズホルダにミラーが設けられ、前記高さ検出器の検出信号に基づ
いて前記シャッタ駆動装置を制御して絞り開度を調整するマイクロコンピュータからなる
制御部が設けられており、プレイモードに入ると、シャッタ駆動装置により各絞り羽根を
拡径方向に駆動して絞り開度を全開させ、レーザ光の対物レンズを通る有効光束部分の外
側を通る非有効光束部分を前記ミラーで反射させ、その反射光をいずれかの受光素子で受
光することによりレンズホルダのフォーカス方向に沿って高さ位置を検出し、その検出信
号に基づいてシャッタ駆動装置を駆動することにより、シャッタの絞り開度がレンズ対向
口を通るレーザ光の有効光束部分の直径程度の中間開度まで調整され、その中間開度状態
で、レンズホルダの高さ位置が上段高さ位置のときにシャッタの絞り開度を「大」に設定
し、それが中段高さ位置のときにシャッタの絞り開度を「中」に設定し、それが下段高さ
位置のときにシャッタの絞り開度を「小」に設定し、プレイモード中止により、シャッタ
駆動装置により各絞り羽根を縮径方向に駆動して絞り開度を全閉させることを特徴する対
物レンズユニットにおけるアクトカバーのレンズ対向口の開度調整方法。
【発明の詳細な説明】
【技術分野】
【０００１】
本発明は、ディスク装置（例えばＤＶＤレコーダやＤＶＤプレーヤなど）に使用される
対物レンズユニットとそのアクトカバーのレンズ対向口の開度調整方法に関し、特に、対
物レンズへの塵埃の付着をできる限り少なくするものである。
【背景技術】
【０００２】
従来、対物レンズユニットの一例として図８〜図１０に示すものがあり、図８は同平面
図、図９は同一部切欠き側面図、図１０は同要部の拡大側面図であって、アクトベース１
上に合成樹脂製ゲルボックス２が固定されると共に、該ゲルボックス２に対向して対物レ
ンズＯＬ付きレンズホルダ３がアクトベース２上に配置され、ゲルボックス２の両側面に
一端を半田付けした弾性ワイヤ４の他端がレンズホルダ３の両側面に半田付けされ、これ
によって、レンズホルダ３がフォーカス方向ａ，ｂ及びトラッキング方向ｃ，ｄに移動可
能に形成され、各弾性ワイヤ４がゲルボックス２内に充填したゲル５中に挿通され、前記
レンズホルダ３にフォーカスコイル６とトラッキングコイル７とが取り付けられ、レンズ
ホルダ３を間に挟んでアクトベース１から起立させた一対の起立板１ａにそれぞれマグネ
ット８が固着され、アクトベース１から起立させた一対のヨーク１ｂがレンズホルダ３内
に挿通されている。
【０００３】
図８及び図９に示すように、レンズホルダ３を覆って対物レンズＯＬに対向する位置に
レンズ対向口１０ａを開設したアクトカバー１０がアクトベース１に取り付けられている
。なお、図９中、Ｄはディスクである。
【０００４】
情報読取手順を説明すると、プレイモードで、レーザダイオード（図示せず）からレー
ザ光Ｌを投射することにより、そのレーザ光Ｌの有効光束部分Ｌ１が対物レンズＯＬを通
ってディスクＤに投射され、各弾性ワイヤ４を介して各コイル６、７に通電することによ
り、レンズホルダ３をフォーカス方向ａ，ｂ及びトラッキング方向ｃ，ｄに移動させ、そ
の投射光をディスクＤで反射させ、その反射光に基づいてディスクＤに記録されている情
報を読み取る。なお、関連する技術として特許文献１に記載したものがある。
【特許文献１】特開平４−１２９０３９号公報
【発明の開示】
【発明が解決しようとする課題】
【０００５】
上記従来の構成では、図１０に示すように、アクトカバー１０のレンズ対向口１０ａが
常時開放され、特に、前記レンズ対向口１０ａを通る有効光束部分Ｌ１の直径ｔに比べて
該レンズ対向口１０ａの口径Ｔが大きいため、そのレンズ対向口１０ａから塵埃が入り込
んで対物レンズＯＬに付着しやすく、その付着した塵埃により対物レンズＯＬが曇ってレ
ーザ光による信号レベルが低下し、例えば再生画面にノイズが現れるなどの不都合が生じ
るおそれがある。
【０００６】
本発明は、上記従来の欠点に鑑み、対物レンズへの塵埃の付着をできる限り少なくした
対物レンズユニットとそのアクトカバーのレンズ対向口の開度調整方法を提供することを
目的としている。
【課題を解決するための手段】
【０００７】
上記目的を達成するため、請求項１に記載の発明は、対物レンズ付きレンズホルダがア
クトベース上にフォーカス方向及びトラッキング方向に移動可能に配置され、前記レンズ
ホルダを覆って対物レンズに対向する位置にレンズ対向口を開設したアクトカバーが前記
アクトベースに取り付けられており、レーザ光が対物レンズを通してディスクに投射され
、その反射光に基づいてディスクに記録されている情報を読み取るようにしたディスク装
置において、前記アクトカバーのレンズ対向口に複数の絞り羽根を備えたシャッタが設け
られ、該各絞り羽根を拡縮径させて絞り開度を全閉から全開まで調整するシャッタ駆動装
置が設けられ、前記アクトカバーにフォーカス方向に沿って配列した上段、中段、下段の
３段の受光素子を有する高さ検知器が設けられ、該高さ検知器に対向してレンズホルダに
ミラーが設けられており、レーザ光の対物レンズを通る有効光束部分の外側を通る非有効
光束部分を前記ミラーで反射させ、その反射光をいずれかの受光素子で受光することによ
りレンズホルダの高さ位置を検出し、その検出信号に基づいてシャッタ駆動装置を駆動す
ることにより、シャッタの絞り開度がレンズ対向口を通るレーザ光の有効光束部分の直径
程度の中間開度まで調整され、その中間開度状態で、レンズホルダの高さ位置が上段高さ
位置のときにシャッタの絞り開度を「大」に設定し、それが中段高さ位置のときにシャッ
タの絞り開度を「中」に設定し、それが下段高さ位置のときにシャッタの絞り開度を「小
」に設定するマイクロコンピュータからなる制御部が設けられていることを特徴としてい
る。
【０００８】
請求項２に記載の発明は、対物レンズ付きレンズホルダがアクトベース上にフォーカス
方向及びトラッキング方向に移動可能に配置され、前記レンズホルダを覆って対物レンズ
に対向する位置にレンズ対向口を開設したアクトカバーが前記アクトベースに取り付けら
れており、レーザ光が対物レンズを通してディスクに投射され、その反射光に基づいてデ
ィスクに記録されている情報を読み取るようにしたディスク装置において、前記アクトカ
バーのレンズ対向口に絞り開度を全閉から全開まで調整可能なシャッタが設けられ、前記
レンズホルダのフォーカス方向に沿う高さ位置を検出する高さ検出器がアクトカバーに設
けられ、その高さ検出器の検出信号に基づいて前記シャッタの絞り開度を調整するマイク
ロコンピュータからなる制御部が設けられていることを特徴としている。
【０００９】
請求項３に記載の発明は、請求項２に記載の発明において、前記高さ検出器が、フォー
カス方向に沿って配列した上段、中段、下段の３段の受光素子を有し、該各受光素子に対
向してレンズホルダにミラーが設けられており、レーザ光の対物レンズを通る有効光束部
分の外側を通る非有効光束部分を前記ミラーで反射させ、その反射光をいずれかの受光素
子で受光し、その受光信号に基づいてレンズホルダのフォーカス方向に沿う高さ位置を検
出することを特徴としている。
【００１０】
請求項４に記載の発明は、請求項３に記載の発明において、前記シャッタが複数の絞り
羽根を備え、該各絞り羽根を拡縮径させて絞り開度を調整するシャッタ駆動装置が設けら
れており、前記高さ検出器の検出信号に基づいて制御部によりシャッタ駆動装置を駆動す
ることにより、シャッタの絞り開度がレンズ対向口を通るレーザ光の有効光束部分の直径
程度の中間開度まで調整され、その中間開度状態で、レンズホルダの高さ位置が上段高さ
位置のときにシャッタの絞り開度を「大」に設定し、それが中段高さ位置のときにシャッ
タの絞り開度を「中」に設定し、それが下段高さ位置のときにシャッタの絞り開度を「小
」に設定することを特徴としている。
【００１１】
請求項５に記載の発明は、対物レンズユニットにおけるアクトカバーのレンズ対向口の
開度調整方法に関するものであって、対物レンズ付きレンズホルダがアクトベース上にフ
ォーカス方向及びトラッキング方向に移動可能に配置され、前記レンズホルダを覆って対
物レンズに対向する位置にレンズ対向口を開設したアクトカバーが前記アクトベースに取
り付けられており、レーザ光が対物レンズを通してディスクに投射され、その反射光に基
づいてディスクに記録されている情報を読み取るようにしたディスク装置において、前記
アクトカバーのレンズ対向口に複数の絞り羽根を備えたシャッタが設けられ、該各絞り羽
根を拡縮径させて絞り開度を全閉から全開まで調整するシャッタ駆動装置が設けられ、前
記アクトカバーにフォーカス方向に沿って配列した上段、中段、下段の３段の受光素子を
有する高さ検知器が設けられ、該高さ検知器に対向してレンズホルダにミラーが設けられ
、前記高さ検出器の検出信号に基づいて前記シャッタ駆動装置を制御して絞り開度を調整
するマイクロコンピュータからなる制御部が設けられており、プレイモードに入ると、シ
ャッタ駆動装置により各絞り羽根を拡径方向に駆動して絞り開度を全開させ、レーザ光の
対物レンズを通る有効光束部分の外側を通る非有効光束部分を前記ミラーで反射させ、そ
の反射光をいずれかの受光素子で受光することによりレンズホルダのフォーカス方向に沿
って高さ位置を検出し、その検出信号に基づいてシャッタ駆動装置を駆動することにより
、シャッタの絞り開度がレンズ対向口を通るレーザ光の有効光束部分の直径程度の中間開
度まで調整され、その中間開度状態で、レンズホルダの高さ位置が上段高さ位置のときに
シャッタの絞り開度を「大」に設定し、それが中段高さ位置のときにシャッタの絞り開度
を「中」に設定し、それが下段高さ位置のときにシャッタの絞り開度を「小」に設定し、
プレイモード中止により、シャッタ駆動装置により各絞り羽根を縮径方向に駆動して絞り
開度を全閉させることを特徴としている。
【発明の効果】
【００１２】
請求項１に記載の発明は実施の一形態（図１〜図７参照）に対応するものであって、こ
れによれば、レンズホルダのフォーカス方向に沿う高さ位置を高さ検出器により検出し、
その検出信号に基づいてアクトカバーのレンズ対向口に設けたシャッタの絞り開度を調整
するようなっているから、塵埃がレンズ対向口を通って対物レンズへ付着する可能性をで
きる限り少なくすることができる。
【００１３】
また、レンズホルダに設けたミラーでレーザ光の非有効光束部分を反射させ、その反射
光を上段、中段、下段の３段の受光素子のいずれかで受光するようになっているから、レ
ンズホルダの高さ位置を上中下の３段に分けて精密に検出することができ、その検出を無
接触で行うから、レンズホルダのフォーカス方向及びトラッキング方向への駆動を円滑に
行うことができると共に、構造が簡単で製作費を安くすることできる。
【００１４】
更に、シャッタの絞り開度がレンズ対向口を通るレーザ光の有効光束部分の直径程度の
中間開度まで調整され、その中間開度状態で、レンズホルダの上中下の３段の高さ位置に
合わせてシャッタの絞り開度を大中小に設定するようになっているから、レンズ対向口を
通るレーザ光の有効光束部分の直径に比べてシャッタの絞り開度をわずかに大きい最小径
に調整ことができ、これによって、ディスクに対するレーザ光の有効光束部分の投射をシ
ャッタに阻害されること無く効率良く行うことができる。
【００１５】
請求項２に記載の発明は基本形態に対応するものであって、これによれば、レンズホル
ダのフォーカス方向に沿う高さ位置を高さ検出器により検出し、その検出信号に基づいて
レンズ対向口に設けたシャッタの絞り開度を調整するようなっているから、塵埃がレンズ
ホルダのレンズ対向口を通って対物レンズへ付着する可能性をできる限り少なくすること
ができる。
【００１６】
請求項３に記載の発明によれば、レンズホルダに設けたミラーでレーザ光の非有効光束
部分を反射させ、その反射光を上段、中段、下段の３段の受光素子のいずれかで受光する
ようになっているから、レンズホルダの高さ位置を上中下の３段に分けて精密に検出する
ことができ、その検出を無接触で行うから、レンズホルダのフォーカス方向及びトラッキ
ング方向への駆動を円滑に行うことができると共に、構造が簡単で製作費を安くすること
できる。
【００１７】
請求項４に記載の発明によれば、シャッタの絞り開度がレンズ対向口を通るレーザ光の
有効光束部分の直径程度の中間開度まで調整され、その中間開度状態で、レンズホルダの
上中下の３段の高さ位置に合わせてシャッタの絞り開度を大中小に設定するようになって
いるから、レンズ対向口を通るレーザ光の有効光束部分の直径に比べてシャッタの絞り開
度をわずかに大きい最小径になるように調整ことができ、これによって、ディスクに対す
るレーザ光の有効光束部分の投射をシャッタに阻害されること無く効率良く行うことがで
きる。
【００１８】
請求項５に記載の発明によれば、プレイモードではディスクに対するレーザ光の有効光
束部分の投射を阻害することなくシャッタの絞り開度を自動的に最小に調整して、塵埃が
対物レンズへ付着する可能性をできる限り少なくすることができ、また、例えば非使用時
などのプレイモード以外ではシャッタを全閉状態にしているから、塵埃が対物レンズに付
着するのを確実に阻止することができる。
【発明を実施するための最良の形態】
【００１９】
図１〜図７はディスク装置（例えばＤＶＤレコーダやＤＶＤプレーヤなど）に使用され
る本発明の実施の一形態である対物レンズユニットを示すものであって、図１は同平面図
、図２は同一部切欠き側面図、図３は同シャッタ部分の概略平面図、図４は同上段位置に
あるレンズホルダの拡大側面図、図５は同中段位置にあるレンズホルダの拡大側面図、図
６は同下段位置にあるレンズホルダの拡大側面図、図７は同制御部による制御を説明する
ための流れ図である。
【００２０】
図１〜図４に示すように、アクトカバー１０のレンズ対向口１０ａにシャッタ１２が設
けられ、プレイモードでフォーカス方向ａ，ｂに駆動されているレンズホルダ３の高さ位
置を検出するための高さ検出器１３がアクトカバー１０に設けられ、該高さ検出器１３に
対向してレンズホルダ３にミラー１４が設けられ、高さ検出器１３の検出信号に基づいて
シャッタ１２を制御するマイクロコンピュータからなる制御部１５が設けられている。
【００２１】
前記シャッタ１２は、図３に示すように、レンズ対向口１０ａに固定したリング状ホル
ダ１７に拡縮径可能に配置した複数の絞り羽根１８を有し、該各絞り羽根１８に係合する
回転リング１９がホルダ１７に回転可能に支持され、該回転リング１９の外周部に形成し
た歯部１９ａにウォームギヤ２０が噛合され、該ウォームギヤ２０を正逆回転させるステ
ッピングモータなどからなるシャッタ駆動装置２１が設けられており、制御部１５の制御
によりシャッタ駆動装置２１を駆動させ、ウォームギヤ２０、歯部１９ａ及び回転リング
１９を介して各絞り羽根１８の絞り開度を全閉Ｏ１から全開Ｏ５まで５段階で調整するよ
うになっている。
【００２２】
前記高さ検出器１３は、図３及び図４に示すように、アクトカバー１０にフォーカス方
向ａ，ｂに沿って配列した上段、中段、下段の３段の受光素子１３ａ〜１３ｃからなって
おり、レーザ光Ｌの対物レンズを通る有効光束部分Ｌ１の外側を通る非有効光束部分Ｌ２
をミラー１４で反射させ、その反射光をいずれかの受光素子１３ａ〜１３ｃで受光するこ
とにより、レンズホルダ３のフォーカス方向ａ，ｂに沿う上段（図４参照）、中段（図５
参照）、下段（図６参照）の高さ位置を検出し、その検出信号を制御部１５に入力するよ
うになっている。
【００２３】
前記制御部１５による制御作用を図７に基づいて説明すると、ステップＳ１において、
プレイモードに入ると、ステップＳ２に移行して、シャッタ駆動装置２１により各絞り羽
根１８を拡径駆動し、該各絞り羽根１８の絞り開度を全開Ｏ５状態にする。続いて、ステ
ップＳ３に移行して、レーザダイオード（図示せず）からレーザ光Ｌの有効光束部分Ｌ１
が対物レンズＯＬを通してディスクＤに投射され、それと同時に、レーザ光Ｌの非有効光
束部分Ｌ２をミラー１４で反射させ、ステップＳ４に移行して、その反射光を高さ検出器
１３で受光する。
【００２４】
その後、ステップＳ５に移行し、図４に示すように、高さ検出器１３の上段受光素子１
３ａで受光したことを検出したときには、レンズホルダ３が上段高さ位置にあると判断し
、ステップＳ６に移行して、シャッタ１２の絞り開度がレンズ対向口１０ａを通るレーザ
光Ｌの有効光束部分Ｌ１の直径ｔ程度の中間開度まで調整され、その中間開度状態で、各
絞り羽根１８の絞り開度を「大」に設定する（図３の絞り開度Ｏ４を参照）。
【００２５】
ステップＳ５でレンズホルダ３が上段高さ位置にないと判断したときには、ステップＳ
７に移行し、図５に示すように、中段受光素子１３ｂで受光したことを検出したときには
、レンズホルダ３が中段高さ位置にあると判断し、ステップＳ８に移行して、各絞り羽根
１８の絞り開度を「中」に設定する（図３の絞り開度Ｏ３を参照）。
【００２６】
ステップＳ７でレンズホルダ３が中段高さ位置にないと判断したときには、ステップＳ
９に移行し、図６に示すように、下段受光素子１３ｂで受光したことを検出したときには
、レンズホルダ３が下段高さ位置にあると判断し、ステップＳ１０に移行して、各絞り羽
根１８の絞り開度を「小」に設定する（図３の絞り開度Ｏ２を参照）。
【００２７】
ステップＳ９でレンズホルダ３が下段高さ位置にないと判断したときには、ステップＳ
５に戻って、前記動作を繰り返す。また、ステップＳ６，Ｓ８，Ｓ１０で絞り開度を大中
小に設定した後、ステップＳ１１に移行し、プレイモードを中止しない場合には、ステッ
プＳ５に戻って前記動作を繰り返す。
【００２８】
ステップＳ１１でプレイモードを中止する場合には、ステップＳ１２に移行して、各絞
り羽根１８の絞り開度を全閉にする（図３の絞り開度Ｏ１を参照）。
【００２９】
上記構成によれば、プレイモードで、レンズホルダ３のフォーカス方向ａ，ｂに沿う高
さ位置を高さ検出器１３により検出し、その検出信号に基づいてレンズ対向口１０ａに設
けたシャッタ１２の絞り開度Ｏ２〜Ｏ４を調整するようなっているから、塵埃がレンズホ
ルダ３のレンズ対向口１０ａを通って対物レンズＯＬへ付着する可能性をできる限り少な
くすることができる。
【００３０】
また、レンズホルダ３に設けたミラー１４でレーザ光Ｌの非有効光束部分Ｌ２を反射さ
せ、その反射光を上段、中段、下段の３段の受光素子１３ａ〜１３ｃのいずれかで受光す
るようになっているから、レンズホルダ３の高さ位置を上中下の３段（図４〜図６参照）
に分けて精密に検出することができ、その検出を無接触で行うから、レンズホルダ３のフ
ォーカス方向ａ，ｂ及びトラッキング方向ｃ，ｄへの駆動を円滑に行うことができると共
に、構造が簡単で製作費を安くすることできる。
【００３１】
更に、シャッタ１２の絞り開度がレンズ対向口１０ａを通るレーザ光Ｌの有効光束部分
Ｌ１の直径ｔ程度の中間開度まで調整され、その中間開度状態で、レンズホルダ３の上中
下の３段の高さ位置に合わせてシャッタ１２の絞り開度を大中小Ｏ２〜Ｏ４に設定するよ
うになっているから、レンズ対向口１０ａを通るレーザ光Ｌの有効光束部分Ｌ１の直径ｔ
に比べてシャッタ１２の絞り開度Ｏ２〜Ｏ４をわずかに大きい最小径になるように調整こ
とができ、これによって、ディスクＤに対するレーザ光Ｌの有効光束部分Ｌ１の投射をシ
ャッタ１２に阻害されること無く効率良く行うことができる。
【００３２】
非使用時などのプレイモード以外で、シャッタ１２を全閉Ｏ１状態にしているから、塵
埃が対物レンズＯＬに付着するのを確実に阻止することができる。
【産業上の利用可能性】
【００３３】
上記の実施の形態では、レンズホルダ３を弾性ワイヤ４によりフォーカス方向ａ，ｂ及
びトラッキング方向ｃ，ｄに移動可能に支持するタイプの対物レンズユニットを例にあげ
て説明したが、これに限定されるわではなく、例えばアクトベース１上に立設したガイド
シャフトに沿ってレンズホルダ３をフォーカス方向ａ，ｂ及びトラッキング方向ｃ，ｄに
移動可能に支持するタイプの対物レンズユニットにも適用される。
【図面の簡単な説明】
【００３４】
【図１】本発明の実施の一形態である対物レンズユニットを示す平面図である。
【図２】同一部切欠き側面図である。
【図３】同シャッタ部分の概略平面図である。
【図４】同上段位置にあるレンズホルダの拡大側面図である。
【図５】同中段位置にあるレンズホルダの拡大側面図である。
【図６】同下段位置にあるレンズホルダの拡大側面図である。
【図７】同制御部による制御を説明するための流れ図である。
【図８】従来例を示す平面図である。
【図９】同一部切欠き側面図である。
【図１０】同要部の拡大縦断面図である。
【符号の説明】
【００３５】
１              アクトベース
３              レンズホルダ
１０            アクトカバー
１０ａ          レンズ対向口
１２            シャッタ
１３            高さ検出器
１３ａ〜１３ｃ  受光素子
１４            ミラー
１５            制御部
１８            絞り羽根
２１            シャッタ駆動装置
ＯＬ            対物レンズ
Ｄ              ディスク
Ｌ              レーザ光
Ｌ１            レーザ光の有効光束部分
Ｌ２            レーザ光の非有効光束部分
Ｏ１〜Ｏ５      絞り開度
ａ，ｂ          フォーカス方向
ｃ，ｄ          トラッキング方向
【図１】
2008108347.tif 000003
【図２】
2008108347.tif 000004
【図３】
2008108347.tif 000005
【図４】
2008108347.tif 000006
【図５】
2008108347.tif 000007
【図６】
2008108347.tif 000008
【図７】
2008108347.tif 000009
【図８】
2008108347.tif 000010
【図９】
2008108347.tif 000011
【図１０】
2008108347.tif 000012